(57)【要約】      （修正有）【課題】測定装置が備える電極に対してユーザの足の位置が不適切な場合に、適切な位置に修正することができる測定装置を提供する。【解決手段】測定装置１０は、判定部１０３と、報知部１０４と、を備える。判定部１０３は、測定対象が載置する測定台上に配置された電極に対する測定対象の位置を判定する。報知部１０４は、判定部１０３の判定結果に基づいて、測定時の測定対象の測定台における適正位置を報知する。【選択図】図１
2015229013.tif 000002
【特許請求の範囲】
【請求項１】
測定対象が載置する測定台上に配置された電極に対する前記測定対象の位置を判定する判定部と、
前記判定部の判定結果に基づいて、測定時の前記測定対象の前記測定台における適正位置を報知する報知部と、
を備える測定装置。
【請求項２】
前記判定部は、
前記測定対象のインピーダンスに基づいて、前記電極に対する前記測定対象の位置を判定する
請求項１に記載の測定装置。
【請求項３】
前記判定部は、
前記測定対象のインピーダンスが直近の過去に測定した測定対象のインピーダンスよりも所定の値より大きい場合、前記測定時の前記測定対象の前記測定台における適正位置に対して踵側にずれていると判定し、
前記測定対象のインピーダンスが直近の過去に測定した測定対象のインピーダンスよりも所定の値より小さい場合、前記測定時の前記測定対象の前記測定台における適正位置に対して踵側にずれていると判定する
請求項１または請求項２に記載の測定装置。
【請求項４】
前記判定部は、
前記測定台に加わる重力を検出するロードセルの出力バランスに基づいて、前記電極に対する前記測定対象の位置を判定する
請求項１から請求項３の何れか一項に記載の測定装置。
【請求項５】
前記判定部は、
左足のつま先と右足のつま先に対応する２つのロードセルの第一の出力加算値と、前記左足の踵と前記右足の踵に対応する２つのロードセルの第二の出力加算値とを比較し、
前記第一の出力加算値が前記第二の出力加算値よりも所定の値より大きい場合、前記測定時の前記測定対象の前記測定台における適正位置に対してつま先側にずれていると判定し、
前記第二の出力加算値が前記第一の出力加算値よりも所定の値より大きい場合、前記測定時の前記測定対象の前記測定台における適正位置に対して踵側にずれていると判定する
請求項４に記載の測定装置。
【請求項６】
測定装置のコンピュータを、
測定対象が載置する測定台上に配置された電極に対する前記測定対象の位置を判定する判定手段と、
前記判定手段による判定結果に基づいて、測定時の前記測定対象の前記測定台における適正位置を報知する報知手段
として機能させるプログラム。
【発明の詳細な説明】
【技術分野】
【０００１】
本発明は、測定装置及びプログラムに関する。
【背景技術】
【０００２】
体重計などの測定装置には、生体インピーダンスを測定するための電極（通電用電極、測定用電極）を備え、体脂肪率を算出する機能を備えるものが存在する。一般的に、体脂肪率は、一方の通電用電極及び測定用電極にユーザ（被測定者）の片方の足裏を接触させ、他方の通電用電極及び測定用電極にもう片方の足裏を接触させ、そのときの生体インピーダンスの測定結果に基づいて算出される。そして、一般的に体脂肪率の算出結果は、通電用電極及び測定用電極に対する足のつま先と踵の触れ具合によって異なる。したがって、通電用電極及び測定用電極に対する足のつま先と踵の触れ具合は、通電用電極及び測定用電極に、足のつま先と踵が適切に触れる位置とすることが重要である。
特許文献１には、関連する技術として、通電用電極及び測定用電極に対する適切な足の位置の表示に関する技術が記載されている。
【先行技術文献】
【特許文献】
【０００３】
【特許文献１】特開２０１１−２１８１０３号公報
【発明の概要】
【発明が解決しようとする課題】
【０００４】
ところで、特許文献１に記載の技術では、測定装置が備える電極に対する適切な足の位置を表示するが、結果としてユーザの足の位置が適切な位置にない場合であっても、不適切な値の体脂肪率を算出して算出結果を表示してしまう。
そのため、測定装置が備える電極に対してユーザの足の位置が不適切な場合に、適切な位置に修正することのできる技術が求められていた。
【０００５】
そこでこの発明は、上記の課題を解決することのできる測定装置及びプログラムを提供することを目的としている。
【課題を解決するための手段】
【０００６】
上記目的を達成するために、本発明は、測定対象が載置する測定台上に配置された電極に対する前記測定対象の位置を判定する判定部と、前記判定部の判定結果に基づいて、測定時の前記測定対象の前記測定台における適正位置を報知する報知部と、を備える測定装置である。
【０００７】
また本発明の前記測定装置が備える前記判定部は、前記測定対象のインピーダンスに基づいて、前記電極に対する前記測定対象の位置を判定する。
【０００８】
また本発明の前記測定装置が備える前記判定部は、前記測定対象のインピーダンスが直近の過去に測定した測定対象のインピーダンスよりも所定の値より大きい場合、前記測定時の前記測定対象の前記測定台における適正位置に対して踵側にずれていると判定し、前記測定対象のインピーダンスが直近の過去に測定した測定対象のインピーダンスよりも所定の値より小さい場合、前記測定時の前記測定対象の前記測定台における適正位置に対して踵側にずれていると判定する。
【０００９】
また本発明の前記測定装置が備える前記判定部は、前記測定台に加わる重力を検出するロードセルの出力バランスに基づいて、前記電極に対する前記測定対象の位置を判定する。
【００１０】
また本発明の前記測定装置が備える前記判定部は、左足のつま先と右足のつま先に対応する２つのロードセルの第一の出力加算値と、前記左足の踵と前記右足の踵に対応する２つのロードセルの第二の出力加算値とを比較し、前記第一の出力加算値が前記第二の出力加算値よりも所定の値より大きい場合、前記測定時の前記測定対象の前記測定台における適正位置に対してつま先側にずれていると判定し、前記第二の出力加算値が前記第一の出力加算値よりも所定の値より大きい場合、前記測定時の前記測定対象の前記測定台における適正位置に対して踵側にずれていると判定する。
【００１１】
また本発明は、測定装置のコンピュータを、測定対象が載置する測定台上に配置された電極に対する前記測定対象の位置を判定する判定手段と、前記判定手段による判定結果に基づいて、測定時の前記測定対象の前記測定台における適正位置を報知する報知手段として機能させるプログラムである。
【発明の効果】
【００１２】
本発明によれば、測定装置が備える電極に対してユーザの足の位置が不適切な場合に、適切な位置に修正することができる。
【図面の簡単な説明】
【００１３】
【図１】本発明の一実施形態による測定装置１０の構成の一例を示す図である。
【図２】本発明の一実施形態による測定装置１０の外観の一例を示す図である。
【図３】測定台２０におけるユーザの足の位置の例を示す図である。
【図４】測定台２０におけるユーザの足の位置を示す表示の表示例を示す図である。
【図５】本発明の一実施形態による測定装置１０の処理フローの一例を示す図である。
【発明を実施するための形態】
【００１４】
まず、本発明の一実施形態による測定装置１０の構成について説明する。
図１は、本発明の一実施形態による測定装置１０の構成の一例を示す図である。
一実施形態による測定装置１０は、図１で示すように、識別子入力部１０１と、測定部１０２と、判定部１０３と、報知部１０４と、測定結果出力部１０５と、記憶部１０６と、を備える。
【００１５】
測定装置１０が備える識別子入力部１０１は、ユーザ（測定対象）により入力されるユーザの身長・性別・年齢等の個人情報、すなわち、ユーザ（測定対象）の識別子を取得する。
測定部１０２は、ユーザの体重や体脂肪率を測定する。
判定部１０３は、ユーザが載置する測定台上に配置された電極（通電用電極、測定用電極）に対するユーザの足の位置を判定する。より具体的には、測定台上に配置された一方の通電用電極及び測定用電極に対するユーザの片方の足の位置、並びに、他方の通電用電極及び測定用電極に対するユーザの他の片方の足の位置を判定する。
【００１６】
報知部１０４は、判定部１０３の判定結果に基づいて、測定時のユーザの足の測定台における適正位置（通電用電極及び測定用電極に、足のつま先と踵が適切に触れる位置）を報知する。例えば、報知部１０４は、発光体、ディスプレイ、スピーカ、バイブレータなどである。
測定結果出力部１０５は、判定部１０３がユーザの足の位置が適切な位置であると判定した場合に、測定部１０２の体重と体脂肪率の測定結果をユーザに報知する。例えば、測定結果出力部１０５は、ディスプレイである。
記憶部１０６は、測定装置１０が行う処理に必要な種々の情報を記憶する。
【００１７】
次に、本発明の一実施形態による測定装置１０の外観について説明する。
図２は、本発明の一実施形態による測定装置１０の外観の一例を示す図である。
図２で示す一実施形態による測定装置１０では、測定台２０と、識別子入力部１０１と、報知部１０４と、測定結果出力部１０５とを外観から確認することができる。また、図２で示す測定装置１０は、体脂肪率の算出に用いるインピーダンスを測定するための透明電極（通電用電極３０ａ、通電用電極３０ｂ、測定用電極３０ｃ及び測定用電極３０ｄ）を備える。通電用電極３０ａ、通電用電極３０ｂ、測定用電極３０ｃ及び測定用電極３０ｄのそれぞれは、互いに間隔をおいて測定台２０上に配置された電極である。図２で示す例では、通電用電極３０ａは、左足のつま先を接触させる電極である。通電用電極３０ｂは、右足のつま先を接触させる電極である。測定用電極３０ｃは、右足の踵を接触させる電極である。また、測定用電極３０ｄは、左足の踵を接触させる電極である。そして、通電用電極３０ａ及び通電用電極３０ｂからは、ユーザに電流が供給され、測定用電極３０ｃ及び測定用電極３０ｄでは、この電流が供給されている際に生じる電圧を測定する。なお、図２において、測定装置１０の透明電極は、その位置を図面に明示するためハッチングで示しているが、実際には外観上、容易に肉眼で識別することができない程度の透明性を有する。
【００１８】
図２において、測定台２０は、透明電極（通電用電極３０ａ、通電用電極３０ｂ、測定用電極３０ｃ及び測定用電極３０ｄ）の下層に形成されるユーザが足を載せるための透明な板である。ユーザが測定台２０に足を載せたときに加えられる力が測定装置１０の内部に備える力センサ（例えば、ロードセル）に伝わる。そして、力センサが検出した力に基づいて、測定装置１０が内部に備える測定部１０２が体重を算出する。
【００１９】
図２において、識別子入力部１０１は、７つのユーザ識別子を記憶するためのスイッチである。例えば、ユーザＡが、ユーザ登録時（個人情報設定登録モード時）にスイッチ１を押下し、年齢、性別、身長などの個人情報を登録する。そして、その後（測定モード時）、スイッチ１を押下することでこの登録されたユーザＡの個人情報が利用されて測定が開始されることになる。
なお、この識別子入力部１０１は、スイッチに限定するものではない。例えば、スマートフォンなどの端末装置から無線通信又は有線通信によりユーザ識別子の入力を行うものであっても良い。
【００２０】
図２において、報知部１０４は、発光体である。報知部１０４は、ユーザの足の適正位置を発光体を用いて報知する。例えば、報知部１０４は、現在のユーザの足の位置に対する適正位置の方向を示す矢印の近傍でＬＥＤ（Ｌｉｇｈｔ  Ｅｍｉｔｔｉｎｇ  Ｄｉｏｄｅ）などの発光体を発光させることにより足の適正位置をユーザに報知する。
【００２１】
図２において、測定結果出力部１０５は、ディスプレイである。測定結果出力部１０５は、測定装置１０が内部に備える測定部１０２の測定結果である体重と体脂肪率をユーザに報知する。例えば、測定結果出力部１０５は、ＬＣＤ（Ｌｉｑｕｉｄ  Ｃｒｙｓｔａｌ  Ｄｅｖｉｃｅ）にユーザの体重や体脂肪率を表示する。
なお、測定部１０２、判定部１０３及び記憶部１０６は、測定装置１０の内部に備えられている。
【００２２】
次に、本発明の一実施形態による測定装置１０の測定台２０におけるユーザの足の適正位置とユーザの足の位置を適正位置に誘導するための報知について説明する。
図３は、測定台２０におけるユーザの足の位置とその足の位置に対する報知の例とを示す図である。
図３において、（ａ）は、測定台２０におけるユーザの足（左足４０ａ、右足４０ｂ）の位置が適正位置に対してつま先寄りにあり不適正な位置（正常なインピーダンスが測定できない位置）である場合を示している。図３における（ａ）で示す例では、測定台２０におけるユーザの足の位置が適正位置に対してつま先側に寄っている場合に、報知部１０４が踵側への足の移動を示す矢印の近傍で発光体を発光させて足の適正位置をユーザに報知している。
また、図３において、（ｂ）は、測定台２０におけるユーザの足の位置が適正位置である場合を示している。測定台２０におけるユーザの足４０ａの適正位置とは、左足４０ａのつま先が通電用電極３０ａに触れる面積と左足４０ａの踵が測定用電極３０ｄに触れる面積とが同程度となる位置である。また、測定台２０におけるユーザの足４０ｂの適正位置とは、右足４０ｂのつま先が通電用電極３０ｂに触れる面積と右足４０ｂの踵が測定用電極３０ｃに触れる面積とが同程度となる位置である。この場合には、例えば、報知部１０４は、いずれの矢印の発光体も発光しない。
【００２３】
次に、ユーザの足の位置を適正位置に誘導するための図３とは異なる報知について説明する。
図４は、測定台２０におけるユーザの足の位置を適正位置に誘導するための報知の例を示す図である。
測定台２０におけるユーザの足の位置を適正位置に誘導する報知は、図３で示した測定台２０の表面に現在のユーザの足の位置に対する適正位置の方向を示す矢印の近傍で発光体を発光させることによる報知以外でも実施可能である。
報知部１０４は、判定部１０３の判定結果に基づいて、測定台２０の表面にユーザの足の適正位置を測定時にユーザが視認可能な位置に表示するものであっても良い。なお、足の適正位置は、例えば、図４において（ａ）で示すように、左足の位置を示す楕円領域５０ａと右足の位置を示す楕円領域５０ｂで表示される。また、足の適正位置は、図４において（ｂ）で示すように、左足の位置を示す楕円の外形６０ａと右足の位置を示す楕円の外形６０ｂで表示される。また、足の適正位置は、図３において示した左足４０ａと右足４０ｂのような形状で表示されても良い。
また、例えば、足の適正位置を示す表示の大きさは、ユーザの足のサイズと関係を有するパラメータ（例えば、身長）に基づくサイズである。足の適正位置を示す表示の大きさは、ユーザの身長における平均的な足のサイズであって良い。また、足の適正位置を示す表示の大きさは、ユーザの身長における平均的な足のサイズよりも大きいサイズであっても良い。また、足の適正位置を示す表示の大きさは、ユーザの足のサイズの実測に基づくサイズであっても良い。なお、測定時にユーザが視認可能な位置としては、測定台２０においてユーザが足を載せる領域の外であり、踵側よりはつま先側の視認し易い位置が望ましい。
【００２４】
また、報知部１０４は、測定時にユーザが視認可能な位置に、測定台２０におけるユーザの足の位置を適正位置に誘導する矢印をディスプレイに表示するものであっても良い。また、報知部１０４は、測定時の測定台２０におけるユーザの足の適正位置をスピーカから合成音声により報知するものであっても良い。また、報知部１０４は、測定時の測定台２０におけるユーザの足の適正位置を測定台２０に取り付けられたバイブレータを振動させることにより報知するものであっても良い。
【００２５】
次に、本発明の一実施形態による測定装置１０の測定モード時の処理について説明する。
図５は、本発明の一実施形態による測定装置１０の処理フローの一例を示す図である。
識別子入力部１０１の番号の中から、ユーザにより自己の個人情報（個人情報設定登録モードにおいて対応づけられた年齢、性別、身長など）を登録した番号が押下されると、個人情報が呼び出され測定部１０２に出力される（ステップＳ１）。
そして、測定部１０２は、ユーザの体重や体脂肪率を測定する（ステップＳ２）。例えば、測定部１０２は、測定装置１０が備える４つのロードセルに加わる力に応じた電気信号に基づき、ユーザの体重を算出する。また、測定部１０２は、測定装置１０が備える透明電極（通電用電極３０ａ、通電用電極３０ｂ、測定用電極３０ｃ及び測定用電極３０ｄ）を介して測定したインピーダンスと、呼び出された個人情報とに基づいて、ユーザの体脂肪率を算出する。
測定部１０２は、体重と体脂肪率の測定結果と共に、測定台２０におけるユーザの足の位置が適正位置であるか否かの判定に必要なインピーダンスの測定結果を判定部１０３に出力する。
【００２６】
判定部１０３は、ユーザが載置する測定台２０上に配置された通電用電極３０ａ及び測定用電極３０ｄ、並びに通電用電極３０ｂ及び測定用電極３０ｃに対するユーザの足の位置が適正位置であるか否かを判定する（ステップＳ３）。
【００２７】
例えば、判定部１０３は、直近の過去に足の位置が適正位置で測定したインピーダンスに対して今回測定したインピーダンスが所定の値を超える差異を示した場合、ユーザの足の位置が適正位置ではないと判定する（ステップＳ３、ＮＯ）。さらに、判定部１０３は、今回測定したインピーダンスが直近の過去に足の位置が適正位置で測定したインピーダンスよりも所定の値より大きい場合には、ユーザの足の位置が適正位置に対して踵側にずれていると判定する。また、判定部１０３は、今回測定したインピーダンスが直近の過去に足の位置が適正位置で測定したインピーダンスよりも所定の値より小さい場合には、ユーザの足の位置が適正位置に対してつま先側にずれていると判定する。
また、判定部１０３は、直近の過去に足の位置が適正位置で測定したインピーダンスに対して今回測定したインピーダンスが所定の値を超える差異を示さなかった場合、ユーザの足の位置が適正位置であると判定する（ステップＳ３、ＹＥＳ）。
なお、ここで、所定の値とは、直近の過去が過去に遡るほど、おおよそ、大きな値を示すものである。
【００２８】
判定部１０３は、ステップＳ３のユーザの足の位置が適正位置であるか否かの判定においてユーザの足の位置が適正位置ではないと判定した場合（ステップＳ３、ＮＯ）、透明電極に対するユーザの足の適正位置を報知部１０４に報知させる報知指令信号を報知部１０４に出力する。報知部１０４は、判定部１０３から報知指令信号を入力すると、透明電極に対するユーザの足の適正位置を報知する（ステップＳ４）。例えば、報知部１０４は、現在のユーザの足の位置に対する適正位置の方向を示す矢印の近傍でＬＥＤなどの発光体を発光させることにより足の適正位置をユーザに報知する。
【００２９】
測定部１０２は、ステップＳ４の処理が行われると、ユーザが足の位置を修正するための所定の時間待機し、ユーザの体重や体脂肪率を測定するステップＳ２の処理を行う。判定部１０３は、ユーザの足の位置が適正位置であるか否かを判定するステップＳ３の処理を行う。そして、ユーザの足の位置が適正位置ではないと判定した場合（ステップＳ３、ＮＯ）には、報知部１０４は、透明電極に対するユーザの足の適正位置を報知するステップＳ４の処理を行う。これらステップＳ２〜ステップＳ４の処理は、ステップＳ３の処理で判定部１０３がユーザの足の位置が適正位置であると判定するまで繰り返される。なお、報知部１０４は、判定部１０３がユーザの足の位置が適正位置にあると判定した場合に、ユーザの足の位置が適正位置であることを報知するものであっても良い。
【００３０】
ステップＳ３の処理で判定部１０３がユーザの足の位置が適正位置であると判定した場合（ステップＳ３、ＹＥＳ）、判定部１０３は、測定部１０２から体重と体脂肪率の測定結果を取得する。そして、判定部１０３は、取得した体重と体脂肪率の測定結果を測定結果出力部１０５に出力する。
測定結果出力部１０５は、判定部１０３から体重と体脂肪率の測定結果を入力すると、入力した体重と体脂肪率の測定結果をユーザに報知する（ステップＳ５）。例えば、測定結果出力部１０５は、ユーザの体重や体脂肪率をＬＣＤなどのディスプレイに表示する。
また、判定部１０３は、測定部１０２から取得した体重と体脂肪率の測定結果を記憶部１０６に記録する（ステップＳ６）。そして、測定装置１０による一連の処理が終了する。
【００３１】
以上、本発明の一実施形態による測定装置１０の処理について説明した。上述の測定装置１０によれば、判定部１０３は、ユーザが載置する測定台２０上に配置された電極に対するユーザの足の位置を判定する。報知部１０４は、判定部１０３の判定結果に基づいて、測定時の測定台２０におけるユーザの足の適正位置を報知する。
このようにすれば、測定装置１０が備える電極に対してユーザの足の位置が不適切な場合に、適切な位置に修正することができる。
【００３２】
また、判定部１０３は、透明電極を介して測定されるインピーダンスの変化やロードセルの出力が示す力のバランスや圧力センサや静電容量センサなどのセンサが検出する足の位置に基づいて、電極に対するユーザの足の位置が適正位置であるか否かを判定する。
このようにすれば、判定部１０３は、電極に対するユーザの足の位置が適正位置ではない場合に、現在のユーザの足の位置に対する適正位置の方向がわかる。
【００３３】
また、報知部１０４は、電極に対するユーザの足の適正位置を示す方向を報知する。
このようにすれば、ユーザは、現在の位置に対して具体的にどの方向へ移動すれば良いかを容易に認識することができる。
【００３４】
なお、本発明の一実施形態による測定装置１０の処理について説明したが、判定部１０３による、ユーザが載置する測定台２０上に間隔を置いて配置された電極に対するユーザの足の位置が適正位置であるか否かの判定は、上述のインピーダンスの変化に基づく判定以外でも実施可能である。
判定部１０３は、複数（例えば、４つ）のロードセルの出力が示す力（重力）の出力バランス、すなわち複数のロードセルに掛かる体重の分布に基づいて、電極に対するユーザの足の位置が適正位置であるか否かを判定しても良い。例えば、ロードセルの数が４つの場合、判定部１０３は、つま先側の２つのロードセルの出力が示す力の加算値Ａ（第一の出力加算値）と踵側の２つのロードセルの出力が示す力の加算値Ｂ（第二の出力加算値）とを比較し、加算値Ａが加算値Ｂよりも所定の値より大きい場合には、ユーザの足の位置が適正位置を外れつま先側に寄って載っていると判定する。また、判定部１０３は、加算値Ｂが加算値Ａよりも所定の値より大きい場合には、ユーザの足の位置が適正位置を外れ踵側に寄って載っていると判定する。
また、判定部１０３は、測定台２０上のユーザの足の位置の検出結果に基づいて、電極に対するユーザの足の位置が適正位置であるか否かを判定しても良い。例えば、判定部１０３は、測定台２０上に配置された圧力センサや静電容量センサなどのセンサによりユーザの足の位置を検出し、その検出位置がユーザの足の適正位置を示す所定領域内にある場合にユーザの足の位置が適正位置であると判定する。また、判定部１０３は、検出位置がユーザの足の適正位置を示す所定領域から通電用電極３０ａまたは通電用電極３０ｂ側に外れている場合にユーザの足の位置が適正位置を外れつま先側に寄っていると判定する。また、判定部１０３は、検出位置がユーザの足の適正位置を示す所定領域から測定用電極３０ｃまたは測定用電極３０ｄ側に外れている場合にユーザの足の位置が適正位置を外れ踵側に寄っていると判定する。
【００３５】
また、報知部１０４による、電極に対するユーザの足の適正位置の報知は、上述の本発明の一実施形態による測定装置１０の処理について説明した報知以外でも実施可能である。
例えば、報知部１０４は、判定部１０３の判定結果に基づいて、測定台２０の表面にユーザの足の適正位置を測定時にユーザが視認可能な位置に視認し易い形状で表示するものであっても良い。また、報知部１０４は、測定時の測定台２０におけるユーザの足の適正位置を合成音声により報知するものであっても良い。また、報知部１０４は、測定時の測定台２０におけるユーザの足の適正位置を測定台２０を振動させることにより報知するものであっても良い。
なお、判定部１０３が測定台２０上に配置された圧力センサや静電容量センサなどのセンサのようにユーザの左足４０ａの位置と右足４０ｂの位置とをそれぞれ別々に判定することができる場合、報知部１０４は、左足４０ａと右足４０ｂのそれぞれの適正位置を個別に報知するものであっても良い。例えば、報知部１０４は、「左足は踵よりで、右足はつま先よりです。」とスピーカから合成音声により報知するものであっても良い。
【００３６】
なお、本発明における記憶部１０６は、適切な情報の送受信が行われる範囲においてどこに備えられていてもよい。また、記憶部１０６は、適切な情報の送受信が行われる範囲において複数存在しデータを分散して記憶していてもよい。
【００３７】
なお本発明の実施形態における処理フローは、適切な処理が行われる範囲において、処理の順番が入れ替わってもよい。
【００３８】
なお本発明の実施形態について説明したが、上述の測定装置１０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３９】
また、上記プログラムは、前述した機能の一部を実現するためのものであっても良い。更に、前述した機能をコンピュータシステムにすでに記録されているプログラムとの組み合わせで実現できるもの、いわゆる差分ファイル（差分プログラム）であっても良い。
【００４０】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００４１】
１０・・・測定装置
３０ａ、３０ｂ・・・通電用電極
３０ｃ、３０ｄ・・・測定用電極
４０ａ・・・左足
４０ｂ・・・右足
５０ａ・・・左足の位置を示す楕円領域
５０ｂ・・・右足の位置を示す楕円領域
６０ａ・・・左足の位置を示す楕円の外形
６０ｂ・・・右足の位置を示す楕円の外形
１０１・・・識別子入力部
１０２・・・測定部
１０３・・・判定部
１０４・・・報知部
１０５・・・測定結果出力部
１０６・・・記憶部
【図１】
2015229013.tif 000003
【図２】
2015229013.tif 000004
【図３】
2015229013.tif 000005
【図４】
2015229013.tif 000006
【図５】
2015229013.tif 000007